【手続補正書】
【提出日】平成29年7月4日(2017.7.4)
【手続補正１】
【補正対象書類名】特許請求の範囲
【補正対象項目名】全文
【補正方法】変更
【補正の内容】
【特許請求の範囲】
【請求項１】
物体側から像側へ順に、ズーミングに際して不動の正の屈折力の第１レンズ群、ズーミングに際して移動する負の屈折力の第２レンズ群、ズーミングに際して物体側に凸状の軌跡で移動する負の屈折力の第３レンズ群、開口絞り、ズーミングに際して不動の正の屈折力の第４レンズ群からなるズームレンズにおいて、
前記第３レンズ群は、１枚の負レンズと１枚の正レンズを接合した接合レンズ、１枚の負レンズより構成され、
前記接合レンズを構成する負レンズの焦点距離をｆｎ１、前記接合レンズを構成する正レンズの焦点距離をｆｐ、広角端における前記第３レンズ群の横倍率をβ３ｗとするとき、
０．６０＜｜ｆｎ１／ｆｐ｜＜０．９７
０．２４＜β３ｗ＜０．５３
なる条件式を満足することを特徴とするズームレンズ。
【請求項２】
前記第２レンズ群の焦点距離をｆ２、前記第３レンズ群の焦点距離をｆ３とするとき、２．５０＜ｆ３／ｆ２＜６．５０
なる条件式を満足することを特徴とする請求項１のズームレンズ。
【請求項３】
前記第１レンズ群の焦点距離をｆ１、前記第２レンズ群の焦点距離をｆ２とするとき、３．７０＜｜ｆ１／ｆ２｜＜７．００
なる条件式を満足することを特徴とする請求項１又は２のズームレンズ。
【請求項４】
前記第３レンズ群の接合レンズ面は物体側に凸形状であることを特徴とする請求項１乃至３のいずれか１項のズームレンズ。
【請求項５】
前記第３レンズ群の焦点距離をｆ３、広角端における全系の焦点距離をｆｗとするとき、
３．５０＜｜ｆ３／ｆｗ｜＜１１．００
なる条件式を満足することを特徴とする請求項１乃至４のいずれか１項のズームレンズ。
【請求項６】
前記第３レンズ群を構成する負レンズのうち、前記接合レンズを構成しない負レンズの焦点距離をｆｎ２とするとき、
０．３５＜ｆｎ１／ｆｎ２＜１．５０
なる条件式を満足することを特徴とする請求項１乃至５のいずれか１項のズームレンズ。
【請求項７】
前記接合レンズを構成する負レンズの材料の屈折率とアッベ数をそれぞれＮｎ１，νｎ１、前記接合レンズを構成する正レンズの材料の屈折率とアッベ数をそれぞれＮｐ，νｐとするとき、
０．６５＜Ｎｎ１／Ｎｐ＜１．２０
１．４０＜νｎ１／νｐ＜４．２０
なる条件式を満足することを特徴とする請求項１乃至６のいずれか１項のズームレンズ。
【請求項８】
物体側から像側へ順に、ズーミングに際して不動の正の屈折力の第１レンズ群、ズーミングに際して移動する負の屈折力の第２レンズ群、ズーミングに際して移動する負の屈折力の第３レンズ群、ズーミングに際して移動する正の屈折力の第４レンズ群、開口絞り、ズーミングに際して不動の正の屈折力の第５レンズ群からなるズームレンズにおいて、
前記第３レンズ群は、１枚の負レンズと１枚の正レンズを接合した接合レンズ、１枚の負レンズより構成され、
前記接合レンズを構成する負レンズの焦点距離をｆｎ１ｘ、前記接合レンズを構成する正レンズの焦点距離をｆｐｘ、広角端における前記第３レンズ群の横倍率をβ３ｗｘとするとき、
０．６０＜｜ｆｎ１ｘ／ｆｐｘ｜＜３．５０
０．２４＜β３ｗ＜０．５３
なる条件式を満足することを特徴とするズームレンズ。
【請求項９】
前記第２レンズ群の焦点距離をｆ２ｘ、前記第３レンズ群の焦点距離をｆ３ｘとするとき、
２．５０＜ｆ３ｘ／ｆ２ｘ＜７．５０
なる条件式を満足することを特徴とする請求項８のズームレンズ。
【請求項１０】
前記第１レンズ群の焦点距離をｆ１ｘ、前記第２レンズ群の焦点距離をｆ２ｘとするとき、
３．７０＜｜ｆ１ｘ／ｆ２ｘ｜＜７．００
なる条件式を満足することを特徴とする請求項８又は９のズームレンズ。
【請求項１１】
前記第３レンズ群の接合レンズ面は物体側に凸形状であることを特徴とする請求項８乃至１０のいずれか１項のズームレンズ。
【請求項１２】
前記第３レンズ群の焦点距離をｆ３ｘ、広角端における全系の焦点距離をｆｗｘとするとき、
３．５０＜｜ｆ３ｘ／ｆｗｘ｜＜１１．００
なる条件式を満足することを特徴とする請求項８乃至１１のいずれか１項のズームレンズ。
【請求項１３】
前記第３レンズ群を構成する負レンズのうち、前記接合レンズを構成しない負レンズの焦点距離をｆｎ２ｘとするとき、
０．４０＜ｆｎ１ｘ／ｆｎ２ｘ＜８．００
なる条件式を満足することを特徴とする請求項８乃至１２のいずれか１項のズームレンズ。
【請求項１４】
前記接合レンズを構成する負レンズの材料の屈折率とアッベ数をそれぞれＮｎ１ｘ，νｎ１ｘ、前記接合レンズを構成する正レンズの材料の屈折率とアッベ数をそれぞれＮｐｘ，νｐｘとするとき、
０．６５＜Ｎｎ１ｘ／Ｎｐｘ＜１．２０
１．４０＜νｎ１ｘ／νｐｘ＜４．２０
なる条件式を満足することを特徴とする請求項８乃至１３のいずれか１項のズームレンズ。
【請求項１５】
前記第１レンズ群の全部又は一部のレンズ系は、フォーカシングに際して移動することを特徴とする請求項１乃至１４のいずれか１項のズームレンズ。
【請求項１６】
請求項１乃至１５のいずれか１項のズームレンズと、該ズームレンズによって形成された像を受光する固体撮像素子を有することを特徴とする撮像装置。
【手続補正２】
【補正対象書類名】明細書
【補正対象項目名】００１０
【補正方法】変更
【補正の内容】
【００１０】
この他、本発明のズームレンズは、物体側から像側へ順に、ズーミングに際して不動の正の屈折力の第１レンズ群、ズーミングに際して移動する負の屈折力の第２レンズ群、ズーミングに際して移動する負の屈折力の第３レンズ群、ズーミングに際して移動する正の屈折力の第４レンズ群、開口絞り、ズーミングに際して不動の正の屈折力の第５レンズ群からなるズームレンズにおいて、
前記第３レンズ群は、１枚の負レンズと１枚の正レンズを接合した接合レンズ、１枚の負レンズより構成され、
前記接合レンズを構成する負レンズの焦点距離をｆｎ１ｘ、前記接合レンズを構成する正レンズの焦点距離をｆｐｘ、広角端における前記第３レンズ群の横倍率をβ３ｗｘとするとき、
０．６０＜｜ｆｎ１ｘ／ｆｐｘ｜＜３．５０
０．２４＜β３ｗｘ＜０．５３
なる条件式を満足することを特徴としている。
【手続補正３】
【補正対象書類名】明細書
【補正対象項目名】００３４
【補正方法】変更
【補正の内容】
【００３４】
２．５０＜ｆ３／ｆ２＜６．５０          ・・・（３）
３．７０＜｜ｆ１／ｆ２｜＜７．００      ・・・（４）
３．５０＜｜ｆ３／ｆｗ｜＜１１．００    ・・・（５）
０．３５＜ｆｎ１／ｆｎ２＜１．５０      ・・・（６）
０．６５＜Ｎｎ１／Ｎｐ＜１．２０        ・・・（７）
１．４０＜νｎ１／νｐ＜４．２０        ・・・（８）
【手続補正４】
【補正対象書類名】明細書
【補正対象項目名】００３６
【補正方法】変更
【補正の内容】
【００３６】
第３レンズ群Ｕ３は、１枚の負レンズと１枚の正レンズを接合した接合レンズ、１枚の負レンズより構成されている。接合レンズを構成する負レンズの焦点距離をｆｎ１ｘ、接合レンズを構成する正レンズの焦点距離をｆｐｘ、広角端における第３レンズ群Ｕ３の横倍率をβ３ｗｘとする。このとき、
０．６０＜｜ｆｎ１ｘ／ｆｐｘ｜＜３．５０  ・・・（１ｘ）
０．２４＜β３ｗｘ＜０．５３              ・・・（２ｘ）
なる条件式を満足する。
【手続補正５】
【補正対象書類名】明細書
【補正対象項目名】００３９
【補正方法】変更
【補正の内容】
【００３９】
このとき、次の条件式のうち１つ以上を満足するのが良い。
２．５０＜ｆ３ｘ／ｆ２ｘ＜７．５０          ・・・（３ｘ）
３．７０＜｜ｆ１ｘ／ｆ２ｘ｜＜７．００      ・・・（４ｘ）
３．５０＜｜ｆ３ｘ／ｆｗｘ｜＜１１．００    ・・・（５ｘ）
０．４０＜ｆｎ１ｘ／ｆｎ２ｘ＜８．００      ・・・（６ｘ）
０．６５＜Ｎｎ１ｘ／Ｎｐｘ＜１．２０        ・・・（７ｘ）
１．４０＜νｎ１ｘ／νｐｘ＜４．２０        ・・・（８ｘ）
【手続補正６】
【補正対象書類名】明細書
【補正対象項目名】００５６
【補正方法】変更
【補正の内容】
【００５６】
０．６５＜｜ｆｎ１／ｆｐ｜＜０．９５    ・・・（１ａ）
０．２７＜β３ｗ＜０．５０              ・・・（２ａ）
２．５５＜ｆ３／ｆ２＜６．００          ・・・（３ａ）
３．９０＜｜ｆ１／ｆ２｜＜６．５０      ・・・（４ａ）
４．００＜｜ｆ３／ｆｗ｜＜１０．００    ・・・（５ａ）
０．４０＜ｆｎ１／ｆｎ２＜１．３０      ・・・（６ａ）
０．７５＜Ｎｎ１／Ｎｐ＜１．１０        ・・・（７ａ）
１．６０＜νｎ１／νｐ＜３．９０        ・・・（８ａ）
【手続補正７】
【補正対象書類名】明細書
【補正対象項目名】００５９
【補正方法】変更
【補正の内容】
【００５９】
０．６５＜｜ｆｎ１ｘ／ｆｐｘ｜＜３．３０      ・・・（１ｘａ）
０．２７＜β３ｗｘ＜０．５０                  ・・・（２ｘａ）
２．５５＜ｆ３ｘ／ｆ２ｘ＜７．００            ・・・（３ｘａ）
３．９０＜｜ｆ１ｘ／ｆ２ｘ｜＜６．５０        ・・・（４ｘａ）
４．００＜｜ｆ３ｘ／ｆｗｘ｜＜１０．００      ・・・（５ｘａ）
０．５０＜ｆｎ１ｘ／ｆｎ２ｘ＜７．００        ・・・（６ｘａ）
０．７５＜Ｎｎ１ｘ／Ｎｐｘ＜１．１０          ・・・（７ｘａ）
１．６０＜νｎ１ｘ／νｐｘ＜３．９０          ・・・（８ｘａ）